(57)【要約】      （修正有）【課題】過電流になったとき過電流検出リレーを遮断し、電圧を下げる過電流コントローラの提供。【解決手段】電気コード１ａを過電流検出リレー２のコイル端子３に繋ぎ、鉄芯５にコイル４を数回巻き、コード１ｂを介してコモン端子６に配線して、ブレーク端子７よりコード１ｃに繋ぐ。そして、コード１ｂから分岐した配線は、コントローラ８を介してコード１ｃに繋ぐ。【選択図】図１
2005032457.tif 000002
【特許請求の範囲】
【請求項１】
電気コード（１ａ）を過電流検出リレー（２）のコイル端子（３）に繋ぎ、過電流検出リレー（２）の中の鉄芯（５）にコイル（４）を数回巻き、もう一方のコイル端子（３）から出てコード（１ｂ）に繋ぐ。
そして、コード（１ｂ）は分岐した一方をコモン端子（６）に配線して、ブレーク端子（７）よりコード（１ｃ）に繋ぐ。
また、コード（１ｂ）から分岐した配線のもう一方は、電圧を下げるコントローラ（８）を介してコード（１ｃ）に繋ぐことを特徴とする過電流コントローラ。
【発明の詳細な説明】
【０００１】
【発明の属する技術分野】
本発明は、遮断機が切れる前に電圧調整器を介して電圧を下げることで、消費する電流も下がるため、遮断機が作動するのを回避する過電流コントローラに関するものである。
【０００２】
【従来の技術】
従来の遮断器は、過電流遮断機能付きの漏電遮断器を介して行っている。漏電遮断器は差動変流器を備えており、負荷側の機器の絶縁破壊による漏電によって各線の電流に差が生じると、この差動変流器の二次側に電流が生じるので、これを検出して回路を遮断し感電事故を防ぐものである。一般的な漏電遮断器は、２５ｍＡ〜３０ｍＡの漏電電流で、０．１秒以内に遮断する特性を持っている。一方、漏電遮断器の有する過電流遮断機能は、通常配線用遮断器と同様に定格電流２０Ａを超える負荷電流が流れたときに、これを探知して回路を遮断するものである。負荷電流に対する遮断時間は、定格電流以下では不動作、定格電流の１．２５倍の電流では６０分以内、定格電流の２倍の電流では２分以内というように、過電流に応じた遮断時間を持っていた。
【０００３】
しかし、この遮断器が作動してしまうと一々復旧させるために、遮断器のスイッチを操作しなければならず面倒であった。そこで特開平９−１０７６２４の過電流保護回路は、過電流が流れたときに切れても差し支えない物を選んでおき、その回路を遮断して、切れては困る回路を守り、しかも自動的に復旧するものがあった。
【０００４】
また、特開平１５−０４５２６１の過電流遮断器は切れては困る回路を守るため、切れても困らない回路を遮断する発想は同じであるが、使用している部品が全部市販されているものの組み合わせでできていた。
【０００５】
その他、西暦２００２以後の公開されているものについては、
【０００６】
【発明が解決しようとしている課題】
従来の特開平９−１０７６２４の過電流保護回路及び、特開平１５−０４５２６１の過電流遮断器は切れては困る回路を守るため、切れても困らない回路を遮断する方法は良いが、切れてもよい回路を配線するのが面倒であった。
また、この過電流保護回路や過電流遮断器は、遮断すると電流が下がり、復旧するのを一秒間に何回も作動して接点を摩耗していたため、その接点を守るためオフタイマーを使用しなければならなかったが、オフタイマーは高価なものであった。
【０００７】
そこで、本発明の過電流コントローラは、過電流になったとき過電流検出リレー（２）を遮断して、コントローラ（８）が電圧を下げるため、消費電力も下がり、従来の分岐回路用過電流遮断器を保護する過電流コントローラを提供するものである。
【０００８】
【課題を解決するための手段】
上記目的を達成するために本発明の過電流コントローラは、電力会社の遮断器から複数の分岐回路用遮断器を介して電気コード（１ａ）を過電流検出リレー（２）のコイル端子（３）に繋ぎ、鉄芯（５）にコイル（４）を数回巻き、もう一方のコイル端子（３）から出てコード（１ｂ）に繋ぐ。
そして、コード（１ｂ）の分割した一方をコモン端子（６）に配線してブレーク端子（７）よりコード（１ｃ）に繋ぐ。
【０００９】
また、コード（１ｂ）から分岐した配線のもう一方は、電圧を下げるコントローラ（８）を介してコード（１ｃ）に繋ぐことで目的を達成した。
【００１０】
【発明の実施の形態】
本発明の過電流コントローラは、電気コード（１ａ）を過電流検出リレー（２）のコイル端子（３）に繋ぎ、過電流検出リレー（２）のコイルは鉄芯（５）に数回巻き、電流が流れたとき鉄心（５）は電磁石になり、ある過電流に達したときスイッチ（９）はブレーク側からメーク側に移動してブレーク端子（７）は遮断する。
【００１１】
遮断された電流は、コード（１ｂ）からコントローラ（８）を介してコード（１ｃ）に迂回する。コントローラ（８）は電圧を下げるのもで、コントローラ（８）は市販されているので説明は省く。
コントローラ（８）は約７０％下げて設定し、過電流になったときにコントローラ（８）を介した電圧は約３０％下がり、過電流となったときより消費電流も約３０％下がり、過電流検出リレー（２）が復帰するように思えるが電磁石の性質上、磁場は距離によって引っ付く力が違い、約５０％で復旧するので、遮断と復旧を一秒間に数回も繰り返すことがない。
【００１２】
そして、過電流になって過電流検出リレー（２）が作動して、コントローラ（８）の方を通ってきた場合、約３０％の電圧の低下があり、電流は電圧に比例するものであるから、電圧を下げれば電流は少なく流れ、照明は暗く点灯するから、照明などでは電圧が下がったことが分かるため、そのときは電流が元の電圧に戻るまでは、消費している電気製品のスイッチを切って、消費している電流を５０％以下にしなければならない。
【００１３】
そして、止めた電気製品によって消費電力が約５０％以下になったとき、過電流検出リレー（２）のスイッチ（９）は、メーク側からブレーク側に復帰する。復旧した電気は遮断された前の電気に近い電気を消費することができる。
【００１４】
【実施例】
以下、本発明の実施例について図面を参照して説明する。
（イ）図１の構成図を説明すると、漏電ブレーカと複数の分岐回路用ブレーカを介在している。この漏電ブレーカを５０アンペアとし、分岐回路用ブレーカを２０アンペアとして説明する。
【００１５】
コード（１ａ）は、過電流検出リレー（２）の鉄芯（５）に、コイル（４）を２０アンペアの電流が流れると、電磁石はスイッチ（９）をブレーク側からメーク側に引き寄せられるように巻く。
すると、過電流検出リレー（２）は遮断されるため、コード（１ｂ）から分岐した配線はコントローラ（８）を通電する。
このコントローラ（８）は、１サイクルの交流をプラスとマイナスとの一部のカットして電圧を調整するもので、１００ボルトの場合は７０ボルトに設定している。
【００１６】
このとき電気製品を使いすぎて２１アンペアの過電流が流れると、過電流検出リレー（２）は遮断され図２のように電流はコントローラ（８）を流れ、２１アンペアの７０ボルトの１４．７アンペアが流れる。
すると、過電流検出リレー（２）のスイッチ（９）は、１０アンペア以下にならないと復旧しないので、７０ボルトがよい。
もしコントローラ（８）を４０ボルトに設定していれば８．４アンペアしか流れず、過電流検出リレー（２）は復帰してブレーク端子（７）を流れると２１アンペアになるので作動する。この作動、復帰を一秒間に何回も繰り返すことで接点は消耗してしまい、耐久性の無い物になってしまう。
【００１７】
（ロ）次に３０アンペア流れたとすると、過電流検出リレー（２）は遮断してコントローラ（８）は７０ボルトに電圧を下げ２１アンペア流れる。２１アンペアは分岐用ブレーカの定格電流を５％上回っているので、６０分後には切れるが、電圧が７０ボルトに下がれば過電流検出リレー（２）が作動したのが分かるので、消費電力を一旦１０アンペア以下にしてから、２０アンペアまで消費できる。
【００１８】
（ハ）では、実際の電気製品を例にとって使用例を説明すると、照明器具１００ワットと暖房器具１，０００ワットを使い、ドライヤー１，２００  ワットを使うと過電流検出リレー（２）が遮断される。そこで、遮断された後ドライヤーのスイッチを切ると照明器具と暖房器具が残り、コントローラ（８）を迂回するため１，１００ワットの電流は７７０ワットになり過電流検出リレー（２）は復元し、元に戻る。
【００１９】
【発明の効果】
本発明は以上説明したように過電流コントローラは、次のような効果があった。
（イ）過電流になったとき電圧を下げて、遮断器が作動するのを回避する。
（ロ）過電流になったら電気製品を止めるだけでよく、一々遮断器のスイッチを入れに行かなくてよい。
（ハ）過電流保護回路などのように切れない配線を、新たに配線する必要がない。
【図面の簡単な説明】
【図１】図は、本発明の構成図である。
【図２】図は、過電流になったときの構成図である。
【符号の説明】
１ａ  コード    １ｂ  コード    １ｃ  コード
２  過電流検出リレー
３  コイル端子
４  コイル
５  鉄芯
６  コモン端子
７  ブレーク端子
８  コントローラ
９  スイッチ
【図１】
2005032457.tif 000003
【図２】
2005032457.tif 000004